【手続補正書】
【提出日】平成30年3月8日(2018.3.8)
【手続補正１】
【補正対象書類名】特許請求の範囲
【補正対象項目名】全文
【補正方法】変更
【補正の内容】
【特許請求の範囲】
【請求項１】
液体消費装置に液体を供給可能な液体供給装置であって、
前記液体を収容可能であるとともに、大気を導入可能である第１液体収容部と、
前記液体を収容可能であり、前記第１液体収容部から前記液体が流入可能なように、前記第１液体収容部に連通するとともに、大気を導入可能である第２液体収容部と、
前記第２液体収容部に収容されている前記液体を検出可能な検出部と、
を備え、
前記検出部が前記液体を検出する検出部位における前記第２液体収容部の水平断面の断面積は、前記検出部位の位置に対応する高さ位置における前記第１液体収容部の水平断面の断面積よりも小さい、液体供給装置。
【請求項２】
請求項１記載の液体供給装置であって、
前記検出部位は、重力方向において、前記第２液体収容部の上端よりも下端に近い下端側に位置しており、
前記検出部は、前記検出部位における前記液体の有無を検出する、液体供給装置。
【請求項３】
請求項１または請求項２記載の液体供給装置であって、
前記第２液体収容部は、ユーザーが外部から前記液体の液面の位置を視認可能な視認部を有する、液体供給装置。
【請求項４】
請求項１から請求項３のいずれか一項に記載の液体供給装置であって、
前記第２液体収容部と前記第１液体収容部との間に、互いの間で前記大気を流通させる大気流通路が設けられている、液体供給装置。
【請求項５】
請求項４記載の液体供給装置であって、
前記第１液体収容部は、前記液体が収容される液体収容室と、前記液体収容室に連通し、前記大気が収容される大気収容室と、を有し、
前記大気流通路は、前記大気収容室に接続されている、液体供給装置。
【請求項６】
請求項１から請求項３のいずれか一項に記載の液体供給装置であって、
前記第２液体収容部は、前記液体を収容可能な液体収容室と、外部に向かって開口する大気開放口と、前記大気開放口から前記液体収容室に向かって延び、前記液体収容室に導入される前記大気が流通する大気連通路と、を備える、液体供給装置。
【請求項７】
請求項３または請求項３に従属する請求項４から請求項６のいずれか一項に記載の液体供給装置であって、
前記第２液体収容部は、外部から液体を注入可能な注入口を有する液体注入部を備える、液体供給装置。
【請求項８】
請求項７記載の液体供給装置であって、
前記第２液体収容部は、前記液体注入部の前記注入口を封止可能な封止部材を備える、液体供給装置。
【請求項９】
請求項１から請求項８のいずれか一項に記載の液体供給装置であって、
複数の組の一対の前記第１液体収容部と前記第２液体収容部とを備え、
複数の前記第１液体収容部が、第１の方向に列状に配列されている第１液体収容部列と、複数の前記第２液体収容部が、前記第１の方向に交差する第２の方向に列状に配列されている第２液体収容部列と、が構成されている、液体供給装置。
【請求項１０】
請求項９記載の液体供給装置であって、
前記第２液体収容部列は、前記第１液体収容部列に対して、前記第１の方向において、隣り合う位置に配置されており、
前記第２液体収容部列の前記第２の方向における幅は、前記第１液体収容部列の前記第２の方向における幅よりも小さい、液体供給装置。
【請求項１１】
請求項１０記載の液体供給装置であって、
前記検出部は、前記第２液体収容部の内部に配置される検出素子と、前記第２液体収容部の外部に配置され、前記検出素子との間で信号をやりとりする接続部と、を含み、
前記接続部は、前記第１液体収容部列と、前記第２液体収容部列と、の間に配置されている、液体供給装置。
【請求項１２】
液体消費装置であって、
請求項１から請求項１１のいずれか一項に記載の液体供給装置と、
前記液体供給装置から供給される前記液体を消費する液体消費部と、
を備える、液体消費装置。
【請求項１３】
請求項１２の液体消費装置であって、
前記第２液体収容部は、前記液体消費装置の正面側に配置されている、液体消費装置。
【手続補正２】
【補正対象書類名】明細書
【補正対象項目名】００１６
【補正方法】変更
【補正の内容】
【００１６】
［１０］上記形態の液体供給装置において、前記第２液体収容部列は、前記第１液体収容部列に対して、前記第１の方向において、隣り合う位置に配置されており、前記第２液体収容部列の前記第２の方向における幅は、前記第１液体収容部列の前記第２の方向における幅よりも小さくて良い。この形態の液体供給装置によれば、第１液体収容部列と前記第２液体収容部列とをコンパクトにまとめて配置することができ、装置の小型化が可能である。
【手続補正３】
【補正対象書類名】明細書
【補正対象項目名】００４６
【補正方法】変更
【補正の内容】
【００４６】
インクタンク４３Ａは、６つの面部６１〜６６を有する中空容器として構成されている（図６，図７）。第１面部６１（図７）は下方を向く底面部を構成し、第２面部６２（図６）は上方を向く上面部を構成する。第３面部６３（図６）は、第１面部６１と第２面部６２とに交差し、タンクユニット４０Ａにおいて正面側を向く正面部を構成する。第４面部６４（図７）は、第１面部６１と第２面部６２とに交差し、第３面部６３とは反対の方向を向く背面部を構成する。第５面部６５（図７）は、前記の４つの面部６１〜６４のそれぞれに交差し、第３面部６３に正対したときに左側に位置する左側面部を構成する。第６面部６６（図６）は、４つの面部６１〜６４のそれぞれに交差し、第３面部６３に正対したときに、右側に位置する右側面部を構成する。
【手続補正４】
【補正対象書類名】明細書
【補正対象項目名】００６５
【補正方法】変更
【補正の内容】
【００６５】
インク筒部４６Ａは、６つの面部８１〜８６を有する中空容器として構成されている（図９）。インク筒部４６Ａの第１面部８１は下方を向く底面部を構成し、第２面部８２は上方を向く上面部を構成する。第３面部８３は、第１面部８１と第２面部８２とに交差し、タンクユニット４０Ａにおいて矢印Ｙの方向を向き、プリンター１０の正面側を向く。第４面部８４は、第１面部８１と第２面部８２とに交差し、第３面部８３とは反対の方向を向く。第５面部８５は、前記の４つの面部８１〜８４のそれぞれに交差し、第３面部８３に正対したときに右側に位置する右側面部を構成する。第６面部８６は、４つの面部８１〜８４のそれぞれに交差し、第３面部８３に正対したときに、左側に位置する左側面部を構成する。インク筒部４６Ａにおいても、インクタンク４３Ａと同様に、隣り合う各面部の間に湾曲面を構成する面取り部などが介在していても良い。
【手続補正５】
【補正対象書類名】明細書
【補正対象項目名】００７０
【補正方法】変更
【補正の内容】
【００７０】
インク収容室９０の下端よりも上端に近い上端側の部位には、大気導入部９２が設けられている（図１０）。大気導入部９２は、インク収容室９０に対して大気が流入可能なように、外部からインク収容室９０に連通する部位である。本実施形態では、大気導入部９２は、第４面部８４において矢印Ｙの逆方向に突出する円筒状の部位として構成されており、インク収容室９０に連通する貫通孔９２ｈを有している。大気導入部９２の先端部においては、大気開放口９２ｏが外部に向かって開口している。なお、大気導入部７６は、第４面部８４に設けられていなくても良く、例えば、第２面部８２において上方に突出するように設けられていても良い。
【手続補正６】
【補正対象書類名】明細書
【補正対象項目名】０１２５
【補正方法】変更
【補正の内容】
【０１２５】
第７実施形態のタンクユニット４０Ｇでは、インクタンク４３Ｆのインク供給部７３と、それに対応するインク筒部４６Ｇのインク流通部９１とがチューブ４７によって接続されている。当該インク筒部４６Ｇのインク供給部９８は、チューブ４４を介して、印刷ヘッド部２５に接続されている。このように、第７実施形態のタンクユニット４０Ｇでは、インクタンク４３Ｆを上流側とし、インク筒部４６Ｇを下流側として、両者が直列に接続されている。このような接続構成を有している第７実施形態のタンクユニット４０Ｇであっても、第１実施形態で説明したのと同様な種々の作用効果を奏することができる。タンクユニット４０Ｇを備えるプリンターにおいても同様である。
【手続補正７】
【補正対象書類名】図面
【補正対象項目名】図６
【補正方法】変更
【補正の内容】
【図６】
2016190354.tif 000001
【手続補正８】
【補正対象書類名】図面
【補正対象項目名】図７
【補正方法】変更
【補正の内容】
【図７】
2016190354.tif 000002
【手続補正９】
【補正対象書類名】図面
【補正対象項目名】図８
【補正方法】変更
【補正の内容】
【図８】
2016190354.tif 000003